(57)【要約】【課題】圃場の往復植付け走行時は自動旋回制御によりオペレータの手を煩わすことなく植付装置が稼動制御されるとともに、周回植付け走行時は植付装置により植付け動作を確実に継続することが可能となる自動旋回制御式苗移植機を提供する。【解決手段】自動旋回制御式苗移植機は、操舵操作により圃場の旋回走行が可能な機体と、稼動指令により苗移植動作する植付装置（７）と、稼動指令により圃場面を整地動作するな整地装置（１６）と、機体の旋回操作と連動して植付装置（７）を稼動制御する自動旋回制御部（２１）とを備えて構成され、上記自動旋回制御部（２１）による植付装置（７）の稼動制御の適用は、上記整地装置（１６）の稼動停止を条件として制御構成したものである。【選択図】図２
2007195492.tif 000002
【特許請求の範囲】
【請求項１】
操舵操作により圃場の旋回走行が可能な機体と、稼動指令により苗移植動作する植付装置（７）と、稼動指令により圃場面を整地動作するな整地装置（１６）と、機体の旋回操作と連動して植付装置（７）を稼動制御する自動旋回制御部（２１）とを備えた自動旋回制御式苗移植機において、
上記自動旋回制御部（２１）による植付装置（７）の稼動制御の適用は、上記整地装置（１６）の稼動停止を条件とすることを特徴とする自動旋回制御式苗移植機。
【発明の詳細な説明】
【技術分野】
【０００１】
本発明は、操舵操作によって圃場の旋回走行が可能な機体に苗植付用の植付装置を備え、機体の旋回操作と連動して植付装置を稼動制御する自動旋回制御式苗移植機に関するものである。
【背景技術】
【０００２】
特許文献１に示すように、操舵操作によって旋回走行可能な機体に田植え等の水田植付け作業を行う植付装置を昇降動作可能に備え、機体走行とともに田植作業等の圃場走行作業を行い、また、機体の旋回走行動作と連動して植付装置の動作を制御するようにした自動旋回制御式苗移植機が知られている。
【０００３】
田植え等の圃場の往復作業走行においては、往行から復行への折り返し地点でＵターン旋回する機体旋回行程において、植付装置の植付動作を停止するとともに上昇動作により植付装置を圃場面の上方の非作業高さ位置に保持して旋回走行に入り、機体が復行方向まで旋回すると植付装置を下降するとともに同植付装置を稼動することにより植付けを再開する。この一連の旋回付帯操作を制御装置により機体の旋回動作と連動して植付装置の取扱いを自動処理する旋回連動制御である「自動旋回制御」を行うように構成することにより、機体旋回操作に伴うオペレータの操作負担を軽減することができる。
【０００４】
しかし、往復植付け走行を終了して枕地の周回植付け走行する際においては、圃場のコーナー部で機体を旋回操作すると、ハンドル操作次第で場合により上記自動旋回制御が作動して植付装置による植付け動作が中断されるという事態を招くこととなる。
したがって、そのような事態を回避するためには、往復植付け走行の終了時にオペレータが自動旋回制御を確実に解除する必要があり、その一方で、往復植付け走行時の機体旋回動作で荒れた枕地の圃場面を整地するために整地装置を稼動する必要があることから、自動旋回制御の導入によってもこれらの煩雑な操作が要求されるので、オペレータの負担軽減の限界となっていた。
【特許文献１】特開２００４−３４４０２０号公報
【発明の開示】
【発明が解決しようとする課題】
【０００５】
解決しようとする問題点は、圃場の往復植付け走行時は自動旋回制御によりオペレータの手を煩わすことなく植付装置が稼動制御されるとともに、周回植付け走行時は植付装置により植付け動作を確実に継続することが可能となる自動旋回制御式苗移植機を提供することにある。
【課題を解決するための手段】
【０００６】
請求項１に係る発明は、操舵操作により圃場の旋回走行が可能な機体と、稼動指令により苗移植動作する植付装置（７）と、稼動指令により圃場面を整地動作するな整地装置（１６）と、機体の旋回操作と連動して植付装置（７）を稼動制御する自動旋回制御部（２１）とを備えた自動旋回制御式苗移植機において、上記自動旋回制御部（２１）による植付装置（７）の稼動制御の適用は、上記整地装置（１６）の稼動停止を条件とすることを特徴とする。
上記構成により、植付け走行の際に整地装置がオフの時は機体の旋回操作と対応して植付装置の稼動が連動制御され、その一方で、整地装置がオンの時は旋回操作をしても植付装置による植付け動作が継続される。
【発明の効果】
【０００７】
本発明の自動旋回制御式苗移植機は以下の効果を奏する。
請求項１の発明により、整地装置がオフの時は機体の旋回操作と対応して植付装置の稼動が自動旋回制御により連動制御され、その一方で、整地装置がオンの時は機体の旋回操作をしても植付装置による植付け動作が継続される。
【０００８】
すなわち、整地装置の稼動を要しない往復植付け走行時はその行程端における機体の反転旋回操作と連動してオペレータの手を煩わすことなく植付装置が稼動制御され、この往復植付け走行の終了後の枕地の周回植付け走行の際は、オペレータが整地装置の稼動操作をすることにより、往復植付け走行時の機体旋回動作で荒れた枕地を整地するとともに、機体旋回操作しても連動制御なしに植付装置により植付け動作を確実に継続することができる。
【０００９】
したがって、圃場の往復植付け走行時は自動旋回制御によりオペレータの手を煩わすことなく植付装置が稼動制御されるとともに、周回植付け走行時は植付装置により植付け動作を確実に継続することが可能となる。
【発明を実施するための最良の形態】
【００１０】
本発明の実施の形態について、以下に図面に基づいて詳細に説明する。
本発明の自動旋回制御式苗移植機の一例を図１の側面図に示す田植機について説明する。
田植機１は、操向車輪２、２と後輪３、３とによって４輪駆動可能に機体を支持し、操舵ハンドル４、オペレータシート５、エンジン６、作業部（植付装置）７のほか、各種機器を制御する後述の制御装置２１を備える。
【００１１】
作業部７は、機体後部に昇降部１１を介して昇降可能に取付けた植付装置としての植付装置であり、図示せぬ植付クラッチを介して機体の走行に合わせて多条植え動作するほか、植付け走行と連動して苗を順次送り出す苗移送装置１３、その苗を圃場に植込みする植込装置１４、圃場面均平用のフロート装置１５…、ローター式の整地装置１６等を備えるとともに、薬肥を吐出する施肥装置１７からフロート装置１５…まで延びる施肥ホース１７ｈ…が配置される。
【００１２】
上記フロート装置１５は、圃場面の前後方向の傾斜を検出可能に取付けられた平板状浮体であり、圃場面を均平整地するとともに植込み深さ調節のために圃場面の高さ位置を検出する。上記整地装置１６は、圃場面を掻き込むためのロータ機構により構成され、往復植付け走行時の機体旋回動作で荒れた枕地の整地等の際にレバー１６ｓの操作により作動位置まで下降動作して稼動する。
【００１３】
制御装置２１は自動旋回制御部を構成し、その入出力構成は、図２の系統図に示すように、機体旋回時の植付装置７の連動制御を行う自動旋回制御モードを選択するための自動旋回スイッチ２２ａ、整地装置１６を稼動するレバー操作のロータースイッチ１６ｓの操作信号のほか、各種のスイッチ、センサの信号を受け、また、機体走行と作業部作動用の各種機器のアクチュエータ類を制御する。
【００１４】
その他に、入力側には、植付け手動指令用のフィンガーレバースイッチ２３ａ、機体の後退動作と対応して作業部７を上昇する作業部上昇モードスイッチ２４、変速操作検知用のＨＳＴレバー位置センサ２５、操舵操作検知用のハンドル切れ角センサ２６、植付装置の下降タイミングを決めるＮ１設定ダイヤル２９ａ、植付装置７稼動のクラッチタイミングを決めるＮ２設定ダイヤル２９ｂ等を接続してそれぞれの信号を入力する。
【００１５】
出力側には、昇降部１１の油圧シリンダ１１ａを介して作業部７を昇降する電磁油圧バルブ１１ｂ、作業部７の植付け稼動用の植付クラッチ作動ソレノイド３１、施肥機動作用の施肥クラッチ作動ソレノイド３２、ＨＳＴレバー傾動用のＨＳＴ用モータ３３、各種機器状況を表示するモニター３４等を接続して各機器を制御する。
【００１６】
上記制御装置２１による制御処理は、各機器の稼動制御のほか、機体の旋回操作と連動して植付装置７を稼動制御する「自動旋回制御」を行うとともに、整地装置１６の稼動停止を条件として上記自動旋回制御を解除するように自動旋回制御を限定適用制御する。
【００１７】
詳細には、図３のフローチャートに示すように、植付け走行中にハンドル操作がおこなわれると、機体旋回操作の判定処理（Ｓ２１）による「左旋回」または「右旋回」に応じてドライブシャフト回転のカウントを開始処理（Ｓ２２）し、旋回の進行過程と対応して左ターン制御処理（Ｓ２３ａ）または右ターン制御処理（Ｓ２３ｂ）を行う。
【００１８】
これらのターン制御（Ｓ２３ａ、Ｓ２３ｂ）は、具体的には、電磁油圧バルブ１１ｂ、植付クラッチ作動ソレノイド３１、施肥クラッチ作動ソレノイド３２の制御によって施肥装置１７、苗移送装置１３、及び植込装置１４の稼動停止、作業部７の上昇に続き、復行位置における作業部７の下げ、施肥装置１７、苗移送装置１３、及び植込装置１４の稼動開始の処理をドライブシャフト回転のカウントと対応して行う。また、整地装置１６がレバー操作により稼働中の時は、旋回操作をしても植付装置７の停止上昇制御することなく施肥装置１７、苗移送装置１３、及び植込装置１４の稼動を維持して植付け動作を継続動作させる。
【００１９】
上記手順の制御処理により、整地装置１６がオフの時は機体の旋回操作と対応して植付装置７の稼動が連動制御され、その一方で、整地装置１６がオンの時は自動旋回制御を解除して限定適用とすることにより、旋回操作をしても植付装置による植付け動作が継続される。
【００２０】
すなわち、整地装置１６の稼動を要しない往復植付け走行時は往復行程端における機体の反転旋回操作と連動してオペレータの手を煩わすことなく植付装置７が稼動制御され、この往復植付け走行の終了後の枕地の周回植付け走行の際は、オペレータが整地装置１６を稼動操作をすることにより、往復植付け走行時の機体旋回動作で荒れた枕地を整地するとともに、機体旋回操作しても連動制御なしに植付装置７により植付け動作を確実に継続することができる。
【００２１】
したがって、圃場の往復植付け走行時は自動旋回制御によりオペレータの手を煩わすことなく植付装置が稼動制御されるとともに、周回植付け走行時は植付装置により植付け動作を確実に継続することが可能となる。
【００２２】
次に、主変速レバー位置と対応して「自動旋回制御」を限定適用する例について説明する。
主変速レバー位置が「植付速」の場合について上記自動旋回制御を行うように制御構成することにより、自動旋回制御を必要な範囲に限定適用することができる。この場合において、主変速レバー位置を表示するポジションランプがセンサ異常等によって消灯している状況にあっても、自動旋回制御の適用を継続するように制御構成する。
【００２３】
このように構成することにより、ポジションセンサの異常によっても自動旋回制御が適用されることから、主変速レバーを「植付速」としてもポジションセンサの異常があると自動旋回制御が適用されないという事態を回避して、作業スケジュールを乱すことなく圃場の作業計画に沿って植付け作業を順次進めることができる。
【００２４】
また、上記において、ポジションランプが消灯している状況にあっては、自動旋回制御を解除してその適用を規制するように制御構成することにより、植付け走行の安全を確保することができる。
【００２５】
さらに、主変速レバー位置によって自動旋回制御の適用が制御されるシステムにおいて、適用の入切についてのモニターランプ３４を設け、適用の解除と対応して同モニターランプ３４を点滅表示するように制御構成する。このように構成することにより、自動旋回制御の適用の入切状況をオペレータに知らせて安全性の向上を図ることができる。
【００２６】
次に、乗用田植機のコントローラによるチェックモードについて説明する。
乗用田植機のコントローラのチェックモード機能により各機器の故障診断を行う場合においては、図４のフローチャートに示すように、チェックモードの際にエンジン６の回転センサによる回転判定処理（Ｓ３１）を行い、エンジン回転検出の際は警報処理（Ｓ３２）を行うように制御構成する。上記構成により、チェックモードのままエンジン６を始動すると警報ブザーによって関係者に知らせることができるので、安全性の向上を図ることができる。
【００２７】
次に、省エネモードの適用制御について説明する。
ＨＳＴの出力制限を伴う省エネモードのまま負荷の大きい圃場で長時間に及ぶ作業を続けると、ＨＳＴ圧力が高いことに伴って油温が上昇し、またＨＳＴに対する負荷も上昇するため、ＨＳＴ寿命の低下を招くといった問題が発生する。
【００２８】
これを防止するために、図５のＨＳＴの制御構成図に示すように、ＨＳＴ４１の油圧回路に前後進の圧力センサ４１ｆ、４１ｒを設け、一定値以上のＨＳＴ圧力が長時間続く場合は省エネモードを解除するように制御構成する。
【００２９】
上記構成のＨＳＴ制御により、図６のフローチャートに示すように、コントローラ２１によってトラニオンモータ３３およびＨＳＴモータ切換弁３３ｓを制御し、モードスイッチ４１ｍによって指示した「標準」「省エネ」に応じたＨＳＴ制御が行われ、「省エネ」運転の際は上記圧力センサ４１ｆ、４１ｒによる判定処理（Ｓ４１，Ｓ４２）をし、その条件により「省エネ」モードを解除して「標準」の制御処理（Ｓ４３）に切換えることによってＨＳＴの圧力を低下し、過大な負荷による障害を回避することができる。
【図面の簡単な説明】
【００３０】
【図１】本発明の制御装置を適用した田植機の側面図である。
【図２】制御装置の入出力系統図である。
【図３】機体旋回時の制御処理のフローチャートである。
【図４】チェックモード機能に関するフローチャートである。
【図５】ＨＳＴの制御構成図である。
【図６】ＨＳＴ制御のフローチャートである。
【符号の説明】
【００３１】
１    田植機（自動旋回制御式苗移植機）
２    操向車輪
３    後輪
４    操舵ハンドル
７    作業部（植付装置）
１１    昇降部
１１ｂ    電磁油圧バルブ
１３    苗移送装置
１４    植込装置
１５    フロート装置
１６    整地装置
１７    施肥装置
１７ｈ    施肥ホース
２１    コントローラ（自動旋回制御部）
２２ａ    自動旋回スイッチ
１６ｓ    ロータースイッチ
２６    ハンドル切れ角センサ
３１    植付クラッチ作動ソレノイド
３２    施肥クラッチ作動ソレノイド
【図１】
2007195492.tif 000003
【図２】
2007195492.tif 000004
【図３】
2007195492.tif 000005
【図４】
2007195492.tif 000006
【図５】
2007195492.tif 000007
【図６】
2007195492.tif 000008